(57)【特許請求の範囲】
【請求項１】
建物の壁面に沿って設けられた壁下地材にプラスターボード等の壁面ボードが設けられ、この壁面ボードの表面にクロス材を貼着する際の目地部材であって、壁面ボード間の離間部に設けるセンター目地部材は、吸水や熱による伸縮性がなく、寸法変化のない人工木材により形成された断面長方形状の長尺部材であって、室内に面する表側平面の中央の長手方向に沿って目地溝が形成されると共に、該目地溝が形成された表側平面の両端に沿って面取りが形成され、該面取りの高さを差し引いた部材の両側面の奥行き幅が壁面ボードの厚さと同一となるように形成し、センター目地部材の裏面と壁面ボードの裏面を壁下地材の表面に当てて固定することにより、壁面ボードの表面の延長に面取りが傾斜状態に形成されるようにし、センター目地部材の面取りを施した部位からパテを塗り込んで壁面ボードの上面に沿って滑らかな傾斜を成すように均した上で、壁面ボードの表面に貼着したクロス材の端部を目地溝の離間部に折り込むようにしたことを特徴とするクロス張り用目地部材。
【請求項２】
建物の壁面に沿って設けられた壁下地材にプラスターボード等の壁面ボードが設けられ、この壁面ボードの表面にクロス材を貼着する際の目地部材であって、壁面ボードの端部に設けるエンド目地部材は、吸水や熱による伸縮性がなく、寸法変化のない人工木材により形成された断面長方形状の長尺部材であって、該エンド目地部材の一側に目地用段差が形成されると共に、他側の表側角部に沿って面取りが形成され、該面取りの高さを差し引いた部材の側面の奥行き幅が壁面ボードの厚さと同一となるように形成し、エンド目地部材の裏面と壁面ボードの裏面を壁下地材の表面に当てて固定することにより、壁面ボードの表面の延長に面取りが傾斜状態に形成されるようにし、エンド目地部材の面取りを施した部位からパテを塗り込んで壁面ボードの上面に沿って滑らかな傾斜を成すように均した上で、壁面ボードの表面に貼着したクロス材の端部を目地用段差に折り込むようにしたことを特徴とするクロス張り用目地部材。
【発明の詳細な説明】
【技術分野】
【０００１】
本発明は、室内の壁面にクロス張りを行う施工において、壁面ボード間の目地仕上げ又は壁面ボードの端部の目地仕上げを行うクロス張り用目地部材に関する。
【背景技術】
【０００２】
従来から、壁面の下地材にプラスターボード等の壁面ボードを取り付けることによって壁面を形成し、この壁面にクロス材を張りつけるようにした内装仕上げ施工が行われている。このような内装仕上げ施工には、壁面に目地を形成することなく、壁面全体にクロス材を張り付ける施工法が存在するが、この施工法では、クロス材を張った壁面が漠然とした外観に見え、室内に締りのない印象を与えてしまうという欠点があった。
【０００３】
このため、従来から、プラスターボード等の壁面ボード間に離間部を設けると共に、壁面ボードの表面に貼着したクロス材の端部を壁面ボード間の離間部に折り込むことによって目地を形成するという施工法が採用されている。
【０００４】
しかしながら、このような施工法において、一般的に耐火性の壁面ボードとして採用されているプラスターボードは石膏板の両面に紙材を付着した構造であるため、その角部は強度が弱く、欠け易いという問題があった。そのため、このようなプラスターボードの欠点を解消すべく、従来から様々な施工法が採用されている。
【０００５】
例えば、図７(ａ)に示す従来の施工法は、壁面の下地材２０に固定したプラスターボード等の壁面ボード２１の端部に木製枠材２２を固定し、隣設する木製枠材２２、２２間に離間部２３を設けることによって目地空間を形成する。次いで、壁面ボード２１の上面にクロス材２４を貼着し、そのクロス材２４の端部を木製枠材２２、２２間の離間部２３に折り込む構成としている。
【０００６】
このような構成によれば、施工の当初は壁面ボード２１と木製枠材２２との緊密性が保たれるが、図７(ｂ)に示すように、乾燥時において木製枠材２２が収縮すると、壁面ボード２１と木製枠材２２との間に隙間２５が生じ、この隙間２５の上面に張られたクロス材２４に凹み２６が生じるため、クロス材２４の外観が悪くなるという問題があった。
【０００７】
また、図７(ａ)に示すように、木製枠材２２が膨張した場合や、何らかの衝撃等により、壁面ボード２１の角部が破損し、その破損部２７の上面に張られたクロス材２４に変形が生じるという問題があった。
【０００８】
このような問題を解消するために、従来から「ハット目地」と称せられる目地部材が用いられている。この目地部材２８は、図８に示すように、断面凹形部２９の両側に平板形状の袖部３０、３０を形成してあり、この目地部材２８を壁面ボード２１、２１間の離間部３１に後付けで取付けることによって、プラスターボード等の壁面ボード２１の角部を保護するようにしている。
【０００９】
しかしながら、この目地部材２８は、断面凹形部２９の両側に設けた袖部３０、３０が離間部３１の両側の壁面ボード２１、２１の上面に載置されているため、袖部３０の厚さだけ室内側に突出した状況となる。従って、このように袖部３０を設けた壁面ボード２１の上面にクロス材２４を張り付けると、室内側に突出した袖部３０の厚さだけクロス材２４が盛り上がって見えるため、外観的に見栄えの悪い仕上がりとなる。
【００１０】
そこで、このような欠点を解消する従来技術として、特許文献１に記載されている「内装壁面の底目地構造」が存在する。この文献の構成では、目地部として中央に凹溝が形成された底目地部材が設けられ、底目地部材の開口縁部に突条が設けられると共に、突条の外側に形成された平坦面にシートが貼着されたものである。
【００１１】
従って、この文献１は、シートの端部を底目地部材の突条に沿わせる構造としたものであり、図７又は図８に示す構造のように、シートの端部を目地部材の離間部に折り込む構造としたものではない。
【００１２】
さらに、上記の特許文献１の底目地部材は、この部材の両側部に当てて設けられた壁パネルの上面が底目地部材の平坦面と同一面となるように形成されている。また、底目地部材の平坦面の両側に傾斜面を形成すると共に、壁パネルの端部にも面取りを行う構成によって、断面Ｖ形状のパテ溜りを形成する構成としている。このような構成により、パテ溜りにパテを充填すると、底目地部材の平坦面と壁パネルの上面とが平坦となり、その上に貼着するシートの平坦性を保つことが可能となる。
【００１３】
しかしながら、上記の構成は、壁パネルの端部にも面取りを行う必要があり、そのための加工に手間を要するだけではなく、プラスターボードの場合、角部の紙材を削り取るため、プラスターボードの角部が脆弱になって欠け易くなるという不都合が生じる。
【先行技術文献】
【特許文献】
【００１４】
【特許文献１】特開２００４−３３２２５６号公報
【発明の概要】
【発明が解決しようとする課題】
【００１５】
本発明は、上記の事情に鑑みてなされたものであり、室内の壁面にクロス張りを行う際、織物クロス等の端部のほつれや切口のほつれを防止するため、クロス材を目地に折り込むことによって、等間隔の目地や柄間隔の美しさを強調し、壁面に設けた壁面ボード間の目地仕上げ又は壁面ボードの端部の目地仕上げを良好に行うようにしたクロス張り用目地部材を提供することを目的とする。
【課題を解決するための手段】
【００１６】
上記の目的を達成するために、本発明の請求項１のクロス張り用目地部材は、建物の壁面に沿って設けられた壁下地材にプラスターボード等の壁面ボードが設けられ、この壁面ボードの表面にクロス材を貼着する際の目地部材であって、壁面ボード間の離間部に設けるセンター目地部材は、吸水や熱による伸縮性がなく、寸法変化のない人工木材により形成された断面長方形状の長尺部材であって、室内に面する表側平面の中央の長手方向に沿って目地溝が形成されると共に、該目地溝が形成された表側平面の両端に沿って面取りが形成され、該面取りの高さを差し引いた部材の両側面の奥行き幅が壁面ボードの厚さと同一となるように形成し、センター目地部材の裏面と壁面ボードの裏面を壁下地材の表面に当てて固定することにより、壁面ボードの表面の延長に面取りが傾斜状態に形成されるようにし、センター目地部材の面取りを施した部位からパテを塗り込んで壁面ボードの上面に沿って滑らかな傾斜を成すように均した上で、壁面ボードの表面に貼着したクロス材の端部を目地溝の離間部に折り込むようにしたことを特徴とする。
【００１８】
また、本発明の請求項２のクロス張り用目地部材は、建物の壁面に沿って設けられた壁下地材にプラスターボード等の壁面ボードが設けられ、この壁面ボードの表面にクロス材を貼着する際の目地部材であって、壁面ボードの端部に設けるエンド目地部材は、吸水や熱による伸縮性がなく、寸法変化のない人工木材により形成された断面長方形状の長尺部材であって、該エンド目地部材の一側に目地用段差が形成されると共に、他側の表側角部に沿って面取りが形成され、該面取りの高さを差し引いた部材の側面の奥行き幅が壁面ボードの厚さと同一となるように形成し、エンド目地部材の裏面と壁面ボードの裏面を壁下地材の表面に当てて固定することにより、壁面ボードの表面の延長に面取りが傾斜状態に形成されるようにし、エンド目地部材の面取りを施した部位からパテを塗り込んで壁面ボードの上面に沿って滑らかな傾斜を成すように均した上で、壁面ボードの表面に貼着したクロス材の端部を目地用段差に折り込むようにしたことを特徴とする。
【発明の効果】
【００２０】
本発明のクロス張り用目地部材において、壁面ボード間の離間部に設けるセンター目地部材は、収縮性のない合成材料により形成された断面長方形状の長尺部材であって、室内に面する表側平面の中央の長手方向に沿って目地溝が形成されると共に、該目地溝が形成された表側平面の両端に沿って面取りが形成され、該面取りの高さを差し引いた部材の両側面の奥行き幅が壁面ボードの厚さと同一となるように形成した構成としている。
【００２１】
従って、このようなセンター目地部材を用いて室内の壁面にクロス張りを行う場合、センター目地部材の面取りを施した部位からパテを塗り込んで壁面ボードの上面に沿って滑らかな傾斜を成すように均した上で、壁面ボードの表面に貼着したクロス材の端部を目地溝の離間部に折り込むことによって、センター目地部材の目地溝の両側にクロス材の折込部が両角部で同一幅をなす２本の直線を形成して綺麗な状態で折り込まれることが可能となる。
【００２２】
また、本発明のクロス張り用目地部材において、壁面ボードの端部に設けるエンド目地部材は、収縮性のない合成材料により形成された断面長方形状の長尺部材であって、該エンド目地部材の一側に目地用段差が形成されると共に、他側の表側角部に沿って面取りが形成され、該面取りの高さを差し引いた部材の側面の奥行き幅が壁面ボードの厚さと同一となるように形成した構成としている。
【００２３】
従って、このようなエンド目地部材を用いて室内の壁面にクロス張りを行う場合、エンド目地部材の面取りを施した部位からパテを塗り込んで壁面ボードの上面に沿って滑らかな傾斜を成すように均した上で、壁面ボードの表面に貼着したクロス材の端部を目地用段差に折り込むことによって、エンド目地部材の段差用段差にクロス材の折込部が角部で直線を形成して綺麗な状態で折り込まれることとなる。
【００２４】
また、本発明のクロス張り用目地部材は、上記のセンター目地部材とエンド目地部材のいずれにおいても、目地部材が収縮性のない合成材料により形成されているため、従来の木製枠材とは異なるものであって収縮性がなく、壁面ボードの角部等に損傷が発生するのを防止することができ、クロス張りの綺麗な仕上がりを凹みのない状態で保持することが可能となる。また、本発明によれば、織物クロス等の端部のほつれや切口のほつれを防止することが可能であり、クロス材を目地に折り込むことによって、等間隔の目地や柄間隔の美しさを強調することが可能となる。
【図面の簡単な説明】
【００２５】
【図１】(ａ)は本発明の実施例１に係るセンター目地部材の斜視図であり、(ｂ)は側面図である。
【図２】(ａ)〜(ｃ)は、本発明の実施例１に係るセンター目地部材に関する施工状況を示す断面図である。
【図３】(ａ)は本発明の実施例２に係るエンド目地部材に関する斜視図であり、(ｂ)は側面図である。
【図４】(ａ)〜(ｃ)は、本発明の実施例２に係るエンド目地部材に関する施工状況を示す断面図である。
【図５】(ａ)は本発明の実施例１のセンター目地部材と実施例２のエンド目地部材を壁面に取り付けた状況を示す正面図であり、(ｂ)は壁面にクロス材を取り付けた状況を示す正面図である。
【図６】(ａ)及び(ｂ)は、本発明の実施例１のセンター目地部材を壁面に固定する施工において天井面にパッキンを当てるようにした施工状況を示す側面図である
【図７】(ａ)及び(ｂ)は、従来の技術であって、プラスターボードの端部に木製枠材を設けた目地部材の構成を示す断面図である。
【図８】従来の目地部の離間部にハット目地を設けた構成を示す断面図である。
【発明を実施するための形態】
【００２６】
以下、本発明の実施例について図面を参照しながら説明する。
【実施例１】
【００２７】
本実施例のクロス張り用目地部材１は、図２(ｃ)に示すように、建物の壁面に沿って設けられた壁下地材２にプラスターボード等の壁面ボード３が設けられ、この壁面ボード３の表面にクロス材４を貼着する際の目地部材であって、隣設した壁面ボード３、３間の離間部に設けるセンター目地部材１Ａに関するものである。
【００２８】
この目地部材について詳細に述べると、本実施例のセンター目地部材１Ａは、収縮性のない合成材料により断面長方形状の長尺部材を形成したものであり、この部材の長さは施工状況に応じて任意である。また、このセンター目地部材１Ａを構成する収縮性のない合成材料としては、ケイ酸カルシウムの結晶であるゾノトライトにガラス繊維とＳＢＲラテックスを加えたスラリーを加圧成形し、乾燥することにより製造された人工木材を用いるのが好ましく、市販品としては「エースライト」（商標名）が知られている。
【００２９】
また、この人工木材、特に「エースライト」（商標名）は、吸水や熱による伸縮性が、１６０℃加熱で、±０％というように、伸縮性を持たない材料と知られており、従来の木材に代わる建築材料として種々の利点を有している。
【００３０】
この人工木材の他の利点をさらに述べると、摂氏１０００℃までの耐熱、防火性を有するものである。また、この人工木材は、吸水、吸湿及び加熱等に対する寸法変化がなく、経年的な耐候性にも優れている。また、毒性がなく、変質や虫害の影響を受けることもなく、さらには加工性がよく、釘やネジ等の固定部材に対する保持力にも優れ、軽量であるため施工性にも優れるものである。
【００３１】
本実施例のセンター目地部材１Ａの形状としては、図１(ａ)又は(ｂ)に示すように、断面長方形状の長尺部材であって、室内に面する表側平面５の中央の長手方向に沿って目地溝６が形成され、この目地溝６が形成された表側平面５の両端に沿って面取り７が形成されたものである。また、各面取り７の高さを差し引いた部材の両側面の奥行き幅（Ｄ３＝１１ｍｍ）が壁面ボード３の厚さ（Ｄ４＝１１ｍｍ）と同一となるように形成されている（図２（ａ）参照）。
【００３２】
本実施例のセンター目地部材１Ａの具体的な寸法例としては、図１(ｂ)に示すように、センター目地部材１Ａの横幅Ｗ１は５０ｍｍ、センター目地部材１Ａの厚さＤ１は１３ｍｍ、目地溝６の幅Ｗ２は３ｍｍ、目地溝６の溝深さＤ２は８ｍｍ、面取り７の表面側の幅ｄ１は２ｍｍ、面取り７の側面側の幅ｄ２は２ｍｍである。
【００３３】
このようなセンター目地部材１Ａを壁下地材２に取り付けるには、図２(ａ)〜(ｃ)に示すように、壁下地材２の表面に、本実施例のセンター目地部材１Ａを接着剤、クギ、ビス等を用いて固定する。このような構成において、壁下地材２と壁面ボード３共にプラスターボードを用いることによって、耐火性に優れたプラスターボードによる二重壁が形成されることになる。
【００３４】
また、センター目地部材１Ａの固定方法として、「フィニッシュネイラー」と称せられているエアークギを用いることによって、作業効率を良くすることも可能である。
【００３５】
上記のセンター目地部材１Ａを用いて室内の壁面を形成する場合、図２(ａ)〜(ｃ)に示すように、プラスターボード等の壁面ボード３の厚さＤ４が面取り７の高さｄ３を差し引いたセンター目地部材１Ａの側面１１の奥行き幅Ｄ３となる。従って、センター目地部材１Ａの裏面と壁面ボード３の裏面を壁下地材２の表面に当てて固定した場合、図２(ａ)に示すように、壁面ボード３の表面の延長に面取り７が傾斜状態に形成される。
【００３６】
そして、図２(ｂ)に示すように、センター目地部材１Ａの面取り７の部位からパテ１２を塗り込んで壁面ボード３の上面に沿って滑らかな傾斜を成すように均した上で、図２(ｃ)に示すように、壁面ボード３の表面に貼着したクロス材４の端部を目地溝６の隙間に折り込む。これによって、目地溝６の両側にクロス材４の折込部４ａ、４ａが、両角部で同一幅をなす２本の直線を成して綺麗な状態で折り込まれることとなる。
【００３７】
なお、センター目地部材１Ａの角部に面取り７が形成されず、センター目地部材１Ａの上面と壁面ボード３の上面とを同一面にした場合、プラスターボード等の壁面ボード３の角部が何らかの衝撃等によって欠け易いものとなる。
【００３８】
このため、本実施例では、上記のようにセンター目地部材１Ａの角部に面取り７を形成すると共に、面取り７の傾斜面からパテ１２を塗り込んで壁面ボード３の上面に沿って滑らかな傾斜を成すように均した上で、壁面ボード３の表面にクロス材４を貼着するようにしたのである。このような構成により、センター目地部材１Ａの面取り７の傾斜面に被さったパテ１２ａがクロス材４の下面にて馴染むため、センター目地部材１Ａと壁面ボード３との境界の上面が均一な面になり、その上面にクロス材４を均一に貼着することが可能となる。
【００３９】
なお、本実施例のセンター目地部材１Ａの上端を天井面に対して位置決めする施工法については、実施例２のエンド目地部材１Ｂの施工法と併せて後述することにする。
【実施例２】
【００４０】
本実施例のクロス張り用目地部材１は、図４(ｃ)に示すように、建物の壁面に沿って設けられた壁下地材２にプラスターボード等の壁面ボード３が設けられ、この壁面ボード３の表面にクロス材４を貼着する際のエンド目地部材１Ｂに関するものである。
【００４１】
このエンド目地部材１Ｂについて詳細に述べると、使用する素材としては、実施例１のセンター目地部材１Ａと同様に、収縮性のない合成材料により断面長方形状の長尺部材を形成したものである。この収縮性のない合成材料としては、実施例１のセンター目地部材１Ａと同様に、ゾノトライトを主成分としてガラス繊維とＳＢＲラテックスを加えたスラリーを加圧成形し、乾燥することにより製造された人工木材として、市販品の「エースライト」（商標名）を使用すると良い。
【００４２】
また、本実施例のエンド目地部材１Ｂの形状としては、図３（ａ）又は(ｂ)に示すように、断面長方形状の長尺部材であって、その一側に目地用段差８が形成されると共に、他側の前側角部に沿って面取り７が形成されたものである。また、面取り７の高さｄ４を差し引いた部材の側面１１の奥行き幅（Ｄ８＝１１ｍｍ）が壁面ボード３の厚さ（Ｄ４＝１１ｍｍ）と同一となるように形成されている（図４（ａ）参照）。
【００４３】
このような本実施例のエンド目地部材１Ｂの具体的な寸法例としては、図３(ｂ)に示すように、エンド目地部材１Ｂの高さＨ１は２５ｍｍ、エンド目地部材１Ｂの厚さＤ５は１３ｍｍ、目地用段差８の溝深さＤ６は８ｍｍ、目地用段差８の幅Ｄ７は２ｍｍ、エンド目地部材１Ｂの面取り７の表面側の幅ｄ３は２ｍｍ、面取り７の側面側の幅ｄ４は２ｍｍである。
【００４４】
このような形状のエンド目地部材１Ｂを用いて天井面側等における室内の壁面の端部を形成する場合、図４（ａ）〜(ｃ)に示すように、プラスターボード等の壁面ボード３の厚さＤ４が面取り７の高さｄ４を差し引いた部材の側面１１の奥行き幅Ｄ８と同一となる。
【００４５】
従って、本実施例においても、実施例１と同様に、壁面ボード３の表面の延長には面取り７の部位が傾斜状態に空いた状態となる。そこで、エンド目地部材１Ｂの面取り７の部位からパテ１２を塗り込んで壁面ボード３の上面に沿って滑らかな傾斜を成すように均した上で、壁面ボード３の表面に貼着したクロス材４の端部を段差用段差８に折り込むと、クロス材４の折込部４ａが角部で綺麗な直線を成す状態で折り込まれることとなる。
【００４６】
なお、本実施例においても、実施例１と同様に、壁面ボード３の表面の延長には面取り７の部位が傾斜状態に空いた状態となる。そこで、エンド目地部材１Ｂの面取り７の部位からパテ１２を塗り込んで壁面ボード３の上面に沿って滑らかな傾斜を成すように均した上で、壁面ボード３の表面に貼着したクロス材４の端部を段差用段差８に折り込むと、クロス材４の折込部４ａが角部で綺麗な直線を成す状態で折り込まれることとなる。
【００４７】
このような構成により、実施例１と同様に、エンド目地部材１Ｂの面取り７の傾斜面に被さったパテ１２ａがクロス材４の下面にて馴染むため、エンド目地部材１Ｂと壁面ボード３との境界の上面を均一な面にして、その上面にクロス材４を均一に貼着することが可能となる。
【００４８】
ここで、図５及び図６を用いて、上記のセンター目地部材１Ａ及びエンド目地部材１Ｂの取付け施工について述べる。
【００４９】
まず、センター目地部材１Ａの取付け方法は、図６(ａ)に示すように、厚さ２ｍｍの長尺のアクリル樹脂等からなるスペーサ９を天井部１３の下面に当てた状態にして、垂直状態に立てたセンター目地部材１Ａの上端をスペーサ９に当てた状態で、該センター目地部材１Ａを壁下地材２に固定する。
【００５０】
その後に、スペーサ９を前方へ引き出して除去すると、スペーサ９の跡には、センター目地部材１Ａの上部に幅２ｍｍの隙間１０が形成される。これによって、図５(ａ)に示すように、この幅２ｍｍの隙間１０がその隣りのエンド目地部材１Ｂの目地用段差８の幅２ｍｍと一致して、天井部１３の下面が綺麗にそろった状態となる。
【００５１】
次いで、図５(ｂ)に示すように、各壁面ボード３にクロス材4を張り、センター目地部材１Ａの目地溝６及びエンド目地部材１Ｂの目地用段差８にクロス材４の端部を折りこんだ状態で貼着することによって、壁面の面内や天井側及び左右の側端部に正確な目地幅が形成されたクロス張りの壁面が形成されることとなる。
【産業上の利用可能性】
【００５２】
本発明のクロス張り用目地部材は、室内の壁面にクロス張りを行う際、壁面に設けた壁面ボード間の目地仕上げ又は壁面ボードの端部の目地仕上げを良好に行うようにしたクロス張り用目地部材として利用可能である。
【符号の説明】
【００５３】
１  クロス張り用目地部材
１Ａ  センター目地部材
１Ｂ  エンド目地部材
２  壁下地材
３  壁面ボード
４  クロス材
５  表側平面
６  目地溝
７  面取り
８  目地用段差
９  スペーサ
１０  隙間
１１  側面
１２  パテ
１２ａ  面取りの傾斜面に被さったパテ
１３  天上部
【要約】
【課題】室内の壁面にクロス張りを行う際、織物クロス等の端部のほつれや切口のほつれを防止するため、クロス材を目地に折り込むことによって、等間隔の目地や柄間隔の美しさを強調し、壁面に設けた壁面ボード間の目地仕上げ又は壁面ボードの端部の目地仕上げを良好に行うようにしたクロス張り用目地部材を提供する。
【解決手段】建物の壁面に沿って設けられた壁下地材にプラスターボード等の壁面ボードが設けられ、この壁面ボードの表面にクロス材を貼着する際の目地部材であって、壁面ボード間の離間部に設けるセンター目地部材は、収縮性のない合成材料により形成された断面長方形状の長尺部材であって、室内に面する表側平面の中央の長手方向に沿って目地溝が形成されると共に、該目地溝が形成された表側平面の両端に沿って面取りが形成され、該面取りの高さを差し引いた部材の両側面の奥行き幅が壁面ボードの厚さと同一となるように形成した。
【選択図】図２【図１】
0005392521.tif 000002
【図２】
0005392521.tif 000003
【図３】
0005392521.tif 000004
【図４】
0005392521.tif 000005
【図５】
0005392521.tif 000006
【図６】
0005392521.tif 000007
【図７】
0005392521.tif 000008
【図８】
0005392521.tif 000009